(57)【要約】【課題】  記録・消去のための加熱によって熱変形（カール）の生じにくい可逆性感熱記録媒体を提供する。【解決手段】  中央部に横方向又は縦方向の全巾の５０％以下の巾で記録領域を形成し、又は中心部に全面積の６０％以下の面積で記録領域を形成し、残りを非記録領域とした可逆性感熱記録媒体。【選択図】  なし【特許請求の範囲】
【請求項１】
支持体の表面に、中央部に横方向又は縦方向の全巾の５０％以下の巾で記録領域が形成され、その記録領域を挟むようにそれぞれが該全巾の２５％以上の巾で二つの非記録領域が形成され、全体として正方形又は短形を呈してなり、かつ、該記録領域が電子供与性呈色性化合物と電子受容性化合物を主成分とし、加熱温度および／または加熱後の冷却速度の違いにより相対的に発色した状態と消色した状態を形成しうる可逆性熱発色組成物を含有する可逆性感熱記録層であることを特徴とする可逆性感熱記録媒体。
【請求項２】
支持体の表面に、中心部に全面積の６０％以下の面積で記録領域が形成され、その記録領域を囲むように非記録領域が形成され、全体として正方形又は短形を呈してなり、かつ、該記録領域が電子供与性呈色性化合物と電子受容性化合物を主成分とし、加熱温度および／または加熱後の冷却速度の違いにより相対的に発色した状態と消色した状態を形成しうる可逆性熱発色組成物を含有する可逆性感熱記録層であることを特徴とする可逆性感熱記録媒体。
【請求項３】
支持体の裏面に粘着層が設けられることを特徴とする請求項１又は２記載の可逆性感熱記録媒体。
【請求項４】
全体の形態がカード状であることを特徴とする請求項１〜３のいずれかに記載の可逆性感熱記録媒体。
【請求項５】
請求項１〜４のいずれかに記載の可逆性感熱記録媒体の記録領域に画像形成を行うための記録手段、および該記録領域に形成された画像を消去するための消去手段を備えたことを特徴とする可逆性感熱記録装置。
【請求項６】
記録手段及び消去手段は、記録・消去時以外は可逆性感熱記録媒体と非接触又は非加圧接触状態にあり、記録・消去時に該可逆性感熱記録媒体の記録領域だけに加圧接触状態となることを特徴とする請求項５記載の可逆性感熱記録装置。
【請求項７】
画像の消去時、消去後又は消去と同時に可逆性感熱記録媒体の支持体裏面を加熱するための裏面加熱手段を備えたことを特徴とする請求項５又は６記載の可逆性感熱記録装置。
【請求項８】
記録又は消去により昇温された可逆性感熱記録媒体を冷却するための冷却手段を備えたことを特徴とする請求項５〜７のいずれかに記載の可逆性感熱記録装置。
【発明の詳細な説明】
【技術分野】
【０００１】
本発明は、熱エネルギーの制御により可逆的に発色状態・消色状態を安定して形成できる記録領域を有し、繰り返し印字・消去が可能な可逆性感熱記録媒体、及びそれの印字・消去に用いる可逆性感熱記録装置に関する。
【背景技術】
【０００２】
従来のハードコピーは、一般に紙などの記録媒体に外部からインクあるいはトナーなどの着色剤を付着固定して画像形成を行うか、あるいは感熱記録紙のように、紙などの基材上に感熱記録層を設け、これにエネルギーを加えて可視画像を形成するなど、永久画像を形成するものであった。
【０００３】
しかし、最近複写機やファクシミリの普及、コンピューターからの情報出力によって記録媒体の消費量が急激に増大し、紙などの原料である木材の需要にともなう樹木の伐採からくる自然破壊や、廃棄物処理など社会問題を引き起こしている。この問題を解決するため、記録した可視画像を消去でき、繰り返し使用可能な記録媒体が注目されている。
【０００４】
この繰り返し使用な記録媒体には例えば、有機低分子結晶粒子を分散した高分子膜の光散乱性変化を利用し、透明と白濁の二状態を可逆的に形成できる記録媒体がある(特開昭５５−１５４１９８号など)。そして、この記録媒体は、すでに磁気カードの内容表示部として実用化されている。しかし、表示される画像は、黒や青の着色地肌またはアルミ蒸着膜などの光反射性の地肌に白色の印字となるので、通常のハードコピーとしては違和感が大きく適していない。
【０００５】
この課題に対して、可逆的に発色と消色の二安定状態を取り得るロイコ染料を顕色剤とともに用い、白色地肌に可逆的に発色印字画像を形成できる可逆性感熱記録媒体が提供されている（特開平５−１２４３６０号、特開平１０−１１９４４０号など）。
【０００６】
だが、このロイコ染料タイプは印字エネルギー、消去エネルギーがともに高いため、この可逆性感熱記録媒体は記録・消去によって、特に消去によって熱変形（カール）が生じる。可逆性感熱記録媒体にカールが生じると、以降の記録・消去がスムーズに行なわれず、良質の画像が得られなかったり、画像の消去が完全に行なわれなかったりする。通常、消去は記録装置の所定位置に可逆性感熱記録媒体を搬送し加熱して行なわれるが、前記のカールの程度はこの搬送方向に対して垂直方向（巾方向）に顕著である。その理由は可逆性感熱記録媒体の搬送方向は加熱状態が均一（一様）であること、また多くの場合、可逆性感熱記録媒体の搬送方向に支持体の縦目が形成されていることから、伸縮が生じやすいためと思われる。
【発明の開示】
【発明が解決しようとする課題】
【０００７】
本発明の目的は、記録及び消去によっても熱変形（カール）の生じにくい可逆性感熱記録媒体及びこれの記録・消去に用いられる可逆性感熱記録装置を提供することである。
【課題を解決するための手段】
【０００８】
本発明によれば、第一に、支持体の表面に、中央部に横方向又は縦方向の全巾の５０％以下の巾で記録領域が形成され、その記録領域を挟むようにそれぞれが該全巾の２５％以上の巾で二つの非記録領域が形成され、全体として正方形又は短形を呈してなり、かつ、該記録領域が電子供与性呈色性化合物と電子受容性化合物を主成分とし、加熱温度および／または加熱後の冷却速度の違いにより相対的に発色した状態と消色した状態を形成しうる可逆性熱発色組成物を含有する可逆性感熱記録層であることを特徴とする可逆性感熱記録媒体が提供される。
【０００９】
第二に、支持体の表面に、中心部に全面積の６０％以下の面積で記録領域が形成され、その記録領域を囲むように非記録領域が形成され、全体として正方形又は短形を呈してなり、かつ、該記録領域が電子供与性呈色性化合物と電子受容性化合物を主成分とし、加熱温度および／または加熱後の冷却速度の違いにより相対的に発色した状態と消色した状態を形成しうる可逆性熱発色組成物を含有する可逆性感熱記録層であることを特徴とする可逆性感熱記録媒体が提供される。
【００１０】
第三に、支持体の裏面に粘着層が設けられることを特徴とする上記第一又は第二の可逆性感熱記録媒体が提供される。
【００１１】
第四に、全体の形態がカード状であることを特徴とする上記第一〜三のいずれかに記載の可逆性感熱記録媒体が提供される。
【００１２】
第五に、上記第一〜四の可逆性感熱記録媒体の記録領域に画像形成を行うための記録手段、および該記録領域に形成された画像を消去するための消去手段を備えたことを特徴とする可逆性感熱記録装置が提供される。
【００１３】
第六に、記録手段及び消去手段は、記録・消去時以外は可逆性感熱記録媒体と非接触又は非加圧接触状態にあり、記録・消去時に該可逆性感熱記録媒体の記録領域だけに加圧接触状態となることを特徴とする上記第五の可逆性感熱記録装置が提供される。
【００１４】
第七に、画像の消去時、消去後又は消去と同時に可逆性感熱記録媒体の裏面を加熱するための裏面加熱手段を備えたことを特徴とする上記第五又は第六の可逆性感熱記録装置が提供される。
【００１５】
第八に、記録又は消去により昇温された可逆性感熱記録媒体を冷却するための冷却手段を備えたことを特徴とする上記第五〜七のいずれかに記載の可逆性感熱記録装置が提供される。
【発明の効果】
【００１６】
本発明の可逆性感熱記録媒体並びに可逆性感熱記録装置の使用によれば、加熱による変形が少なくて済む。
【発明を実施するための最良の形態】
【００１７】
以下、本発明をさらに詳細に説明する。図１（ａ）に示すように、本発明の可逆性感熱記録媒体１１の層構成は、プラスチック、紙、合成紙などからなる厚み１ｍｍ以下好ましくは５０〜５００μｍの支持体１２上に成膜された記録領域を形成する可逆性感熱記録層１３、その記録層上に該記録層の劣化を防ぐための透明保護層１４が積層されている。ただし、前述及び後述から明らかなように、可逆性感熱記録層１３は支持体１２の表面の全体に形成されてはいない。この他に必要に応じ、支持体と可逆性感熱記録層の間に下引き層、可逆性感熱記録層と保護層の間に中間層、保護層上の一部又は全面に着色印刷インキ層、さらにインキ層部分又は非インキ付着を含めた表面に透明保護層を設ける場合もある。
【００１８】
可逆性感熱記録層１３の厚さは１〜３０μｍが好ましく、２〜２０μｍがさらに好ましい。この可逆性感熱記録層は結着樹脂中にロイコ染料および顕色剤を分散させることによって形成されている。
【００１９】
可逆性感熱記録層に用いられる結着樹脂としては、ガラス転移温度が５０℃以上が好ましく、６０℃以上が更に好ましく、また１００℃以下が好ましく、８０℃以下が更に好ましい。具体的には、ポリ塩化ビニル、塩化ビニル−酢酸ビニル共重合体、塩化ビニル−酢酸ビニル−ビニルアルコール共重合体、塩化ビニル−酢酸ビニル−マレイン酸共重合体、塩化ビニル−アクリレート共重合体等の塩化ビニル系共重合体；ポリ塩化ビニリデン、塩化ビニリデン−塩化ビニル共重合体、塩化ビニリデン−アクリロニトリル共重合体等の塩化ビニリデン系共重合体；ポリエステル；ポリアミド；ポリアタリレート又はポリメタクリレート或いはアクリレート、メタクリレート共重合体；シリコーン樹脂、ポリエチレン、ポリプロピレン、ポリスチレン、ポリアクリルアミド、ポリビニルピロリドン、天然ゴム、ポリビニルアルコール、ポリアクロレイン、ポリカーボネート等が挙げられる。これらの樹脂は少なくとも一種で或いは二種以上混合して用いてもよい。
【００２０】
可逆性感熱記録層に用いられるロイコ染料は、たとえばフタリド系化合物、アザフタリド系化合物、フルオラン系化合物、フェノチアジン系化合物、ロイコオーラミン系化合物など公知の染料前駆体である。
【００２１】
可逆性感熱記録層に用いられる顕色剤は、分子内にロイコ染料を発色させる顕色能をもつ構造、たとえばフェノール性水酸基、カルボン酸基、リン酸基などと、分子間の凝集力を制御する構造、たとえば長鎖炭化水素基が連結した構造をもつ化合物である。連結部分にはヘテロ原子を含む２価の基を介していてもよく、また長鎖炭化水素基中にもヘテロ原子を含む２価の基または芳香族基が含まれていてもよい。具体的には、特開平５−１２４３６０号公報などに記載されている公知の顕色剤が使用できる。この顕色剤の融点は１２０℃以上が好ましく、１４０℃がさらに好ましい。
【００２２】
この顕色剤の融点は１２０℃以上が好ましく、１４０℃がさらに好ましい。可逆性感熱記録層を保護するために設けられる透明保護層（厚さ０．１〜５μｍ）の材料としては、シリコーン系ゴム、シリコーン樹脂（特開昭６３−２２１０８７号公報に記載）、ポリシロキサングラフトポリマー（特開昭６３−３１７３８５号公報に記載）や紫外線硬化樹脂又は電子線硬化樹脂（特開平０２−５６６号公報に記載）等が挙げられる。これらの中には、有機若しくは無機のフィラーを含有することができる。
【００２３】
透明保護層形成液の溶剤やモノマー成分等から可逆性感熱記録層を保護するために設けられる中間層（厚さ０．２〜２μｍ）の材料としては、可逆性感熱記録層に用いられる樹脂として挙げたものの他に下記のような熱硬化性樹脂、熱可塑性樹脂、ＵＶ硬化樹脂、ＥＢ硬化樹脂が使用可能である。即ち、ポリエチレン、ポリプロピレン、ポリスチレン、ポリビニルアルコール、ポリビニルブチラール、ポリウレタン、飽和ポリエステル、不飽和ポリエステル、エポキシ樹脂、フェノール樹脂、ポリカーボネート、ポリアミド等が挙げられる。
【００２４】
支持体と可逆性感熱記録層との接着を良好にするために設けられる下引き層（厚さ０．１〜２μｍ）の材料としては、従来公知の水溶性高分子及び／又は水性高分子エマルジョンから適宜選択されるのが好ましい。その具体例としては、水溶性高分子として、例えばポリビニルアルコール、澱粉及びその誘導体、メトキシセルロース、ヒドロキシエチルセルロース、カルボキシメチルセルロース、メチルセルロース、エチルセルロース等のセルロース誘導体、ポリアクリル酸ソーダ、ポリビニルピロリドン、アクリルアミド−アクリル酸エステル共重合体、アクリルアミド−アクリル酸エステル−メタクリル酸三元共重合体、スチレン−無水マレイン酸共重合体アルカリ塩、ポリアクリルアミド、アルギン酸ソーダ、ゼラチン、カゼイン等が挙げられる。また、水性高分子エマルジョンとしては、スチレン−ブタジエン共重合体、スチレン−ブタジエン−アクリル系共重合体等のラテックスや、酢酸ビニル樹脂、酢酸ビニル−アクリル酸共重合体、スチレン−アクリル酸エステル共重合体、アクリル酸エステル樹脂、ポリウレタン樹脂等のエマルジョン等が挙げられる。
【００２５】
また、本発明の可逆性感熱記録媒体は図１（ｂ）に示すように、支持体１２の裏面には、可逆性感熱記録層１３とは別のタイプの記録・記憶材料を含んだ層（例えば、磁気層１５など）を設けても良い。磁気層１５は厚さ５〜１５μｍくらいで、通常用いられている酸化鉄、バリウムフェライト等と塩ビ系やウレタン系或いはナイロン系樹脂を用い、支持体裏面に塗工形成されるが、または蒸着、スパッタリング等の方法により樹脂を用いずに形成される。
【００２６】
更に、本発明の可逆性感熱記録媒体は図１（ｃ）に示すように、支持体１２の可逆性感熱記録層１３と反対側に粘着層１６を設け、別の支持体１２’に貼着できるようにしてもよく、可逆性感熱記録ラベルとすることもできる。粘着層（厚さ１０〜３０μｍ）の材料は一般的に粘着剤として使われているものが使用可能である。具体例としては、ユリア樹脂、メラミン樹脂、フェノール樹脂、エポキシ樹脂、酢酸ビニル系樹脂、酢酸ビニル−アクリル系共重合体、エチレン−酢酸ビニル共重合体、アクリル系樹脂、ポリビニルエーテル系樹脂、塩化ビニル−酢酸ビニル系共重合体、ポリスチレン系樹脂、ポリエステル系樹脂、ポリウレタン系樹脂、ポリアミド系樹脂、塩素化ポリオレフイン系樹脂、ポリビニルブチラール系樹脂、アクリル酸エステル系共重合体、メタクリル酸エステル系共重合体、天然ゴム、シアノアクリレート系樹脂、シリコン系樹脂などが挙げられるが、これらに限定されるものではない。粘着層の材料はホットメルトタイプでも良い。また剥離紙を用いても良いし、無剥離紙タイプでも良い。
【００２７】
これらのロイコ染料および顕色剤を用いた可逆性感熱記録媒体は、図２に示すプロセスで発色・消色する。すなわち、初期の消色状態（Ａ）を加熱すると温度Ｔ1以上でロイコ染料と顕色剤が熔融混合して発色し（Ｂ）、この状態を急冷すると発色状態のまま固定される（Ｃ）。発色状態（Ｃ）を加熱していくと、発色温度Ｔ1より低い温度Ｔ2で消色し（Ｄ）、冷却すれば初期と同様の消色状態となる。ここで熔融発色状態（Ｂ）からの冷却を徐冷とすると、降温の過程で濃度が低下し、極端な場合にはほとんど消色した状態となる。
【００２８】
可逆性感熱記録媒体は、すでに印字してある発色画像を消去して、新たに別の印字を行い書き換えるのが通常の使用方法であり、一般には消去工程と印字工程は連続的に行われる。消去工程では可逆性感熱記録媒体は消去温度（通常１００〜１８０℃）に加熱される。上記の可逆性感熱記録媒体の印字された発色部を完全に消去するには０．１〜２秒程度の加熱時間が必要である。
【００２９】
ところで、このような加熱を行うために、従来においては、たとえば図３に示すようないわゆるスタンパと呼ばれる印刻型の消去手段５１がとられてきた。これは、発熱抵抗体によって消去温度に制御された加熱部材５４、たとえば金属板や金属ブロックを可逆性感熱記録媒体１１の消去する部分（記録領域）全体に、弾性部材５３を有する押圧部材５２により押し当てる方法（ホットスタンプ方式）である。しかし、このホットスタンプ方式は、図４（ａ）（ｂ）に示すような可逆性感熱記録部分即ち記録領域（ここでは消去域１００に相当する）の大きい記録媒体では消去域１００のみしか加圧加熱しないため、部分的な媒体の熱変形（カール）が生じる。図４（ａ）（ｂ）において、１０１及び１０２は非消去域（非記録領域）である。
【００３０】
しかしながら、このような部分的な媒体の熱変形（カール）は図５（ａ）（ｂ）及び図６のように、可逆性感熱記録媒体の中央部又は中心部の狭い部分に可逆性感熱記録部分（消去域１００）がある場合、熱変形（カール）は起こるがその部分に留まり、変形度（カールの程度）は格段に少なくなることを見出し本発明に至った。
【００３１】
図５（ａ）は本発明の可逆性感熱記録媒体全体における記録領域（消去域１００）の位置関係を示す例であり、消去域１００が上下に設けられた非消去域１０１、１０２で挟まれた形態のものである。ここで図面上、縦方向の全巾をＬ1とした場合、中央部の消去域１００の巾ｍ1はＬ1の５０％以下であり、非消去域１０１、１０２の巾ｎ1、ｎ2はそれぞれＬ1の２５％以上である。なお、ここではｎ1＝ｎ2であるのが好ましい。図５R>５（ｂ）は上記図５（ａ）の可逆性感熱記録媒体を９０°回転した状態のもの、又は図面上、横方向の全巾をＬ2とした場合、中央部の消去域１００の巾ｍ2はＬ2の５０％以下であり、非消去域１０１、１０２の巾ｎ3、ｎ4はそれぞれＬ2の２５％以上としたものである。なお、ここではｎ3＝ｎ4であるのが好ましい。
【００３２】
これら図５（ａ）（ｂ）の可逆性感熱記録媒体は、記録・消去に際してそれぞれ矢印方向に移動させることによって熱変形（カール）を著しく減少させることができる。
【００３３】
図６は本発明の可逆性感熱記録媒体全体における消去域１００の位置関係を示す他の例であり、消去域１００が中心部に設けられ、これが非消去域１０３で囲まれた状態のものである。ここで図面上、消去域１００は媒体全体の６０％以下の面積を占める。また、非消去域１０３の巾ｎ5、ｎ6、ｎ7、ｎ8において、ｎ5＝ｎ6、ｎ7＝ｎ8であるのが好ましい。この図６に示す可逆性感熱記録媒体は、図５（ａ）（ｂ）に示すものと相違して、記録・消去に際して図面上縦方向、横方向いずれに移動させても熱変形（カール）を著しく減少させることができる。
【００３４】
当然のことながら、記録領域の面積が小さい程加熱によるカールは少なくなる。従って、図５及び図６に示した可逆性感熱記録媒体を裏面から図７（ａ）（ｂ）又は（ｃ）のように同じ加熱処理を行うと変形がより改善される。媒体裏面にも熱が加わり、表面に縮みと同じくらい裏面が縮むためである。図７で（ａ）は両面加熱（非同時）、（ｂ）は両面加熱（同時）、（ｃ）は反転させての両面加熱（非同時）を表している。なお、ホットスタンプ方式は、熱が媒体にこもるため、冷却装置が場合によっては必要であり、消去直後冷却するとカールは少なくなる。また、カールの特性として、低温で長時間接触するより、高温で短時間接触する方がカールが少なくなる特性がある。
【００３５】
この点から、可逆性感熱記録装置における消去手段は表面温度を高くして消去手段の巾を短くし、短時間の接触で同じ媒体温度を実現した方が好ましい。実験の結果、表面温度にも依るが、消去手段の接触巾は１．２〜５．０ｍｍの範囲が良好である。１．２ｍｍ以下では熱供給が十分とれなくなり、また５．０ｍｍ以上ではカールを少なく抑えられない。
【００３６】
図８は本発明の好適な可逆性感熱記録装置の主要部を表わしたものである。消去手段６はセラミック基板６１に発熱体６２が設けられ上部が保護層６３で覆われている。対向は回転ローラー（自動又は従動）から成るプラテンローラー７１である。このプラテンローラーは加熱されていてもよい。
【００３７】
次に、実施例をあげて本発明を具体的に説明する。ここでの“カール度”は、可逆性感熱記録媒体に画像を形成し、さらにこの画像を消去する操作を１０回繰り返した後、２０℃５０％ＲＨの雰囲気に１時間そのままの状態で放置し、最大のうき（ｘ）を可逆性感熱記録媒体の進行方向と垂直になる側面の位置から観察し定規で測定した値をいう。
【００３８】
実施例１
図６型の可逆性感熱記録媒体の磁気記録層付ＪＩＳサイズのカード（８．６ｃｍ×５．４ｃｍ、厚み０．３ｍｍ）の記録領域（２７．９ｃｍ2でカード全体の６０％を占める）を、金属ブロックのホットスタンプで温度１３０〜１４０℃、１ｓｅｃ、荷重１２００ｇ〜１５００ｇの条件で画像消去処理を行ったところ、図９（イ）のような変形になり、カール度（ｘ）は３．５ｍｍであった。
【００３９】
実施例２
図５（ａ）型可逆性感熱記録カード（８．６ｃｍ×５．４ｃｍ、厚さ０．３ｍｍ）で記録領域の面積を２３．２ｃｍ2（５０％）にした以外は実施例１と同様にしたところ、図９（ロ）のような変形になり、カール度（ｘ）は３．０ｍｍであった。なお、ここでの画像消去は図５（ａ）の矢印方向にカードを移動させている。
【００４０】
実施例３
図５（ｂ）型可逆性感熱記録カード（８．６ｃｍ×５．４ｃｍ、厚さ０．３ｍｍ）で、記録領域の面積を２３．２ｃｍ2（５０％）にした以外は実施例１と同様にしたところ、図９（ハ）のような変形になり、カール度（ｘ）は３．０ｍｍであった。ここでの画像消去は図５（ｂ）の矢印方向にカードを移動させている。
【００４１】
実施例４
図６型可逆性感熱記録カード（８．６ｃｍ×５．４ｃｍ、厚さ０．３ｍｍ）で記録領域の面積２７．９ｃｍ2（６０％）にして実施例１と同様に画像消去した後、直ぐに金属プレートに接触させ冷却したところ、図９（ニ）のような変形になり、カール度（ｘ）は３．０ｍｍであった。
【００４２】
実施例５
実施例４と同じ可逆性感熱記録媒体をその消去範囲で図７R>７（ｂ）に示したような、消去（加熱）バーと、受けとして加熱された裏面加熱バーとを併用した装置で画像消去したところ、図９（ホ）のような変形になり、カール度（ｘ）は３ｍｍであった。なお、消去バーの長さはカード巾の７０％で、図示しない装置により、消去バーを加圧／解除の制御し、長手の７０％あまりを消去した。
【００４３】
実施例６
図５（ａ）型可逆性感熱記録媒体（８．６ｃｍ×５．４ｃｍ、厚さ０．３ｍｍ）で、記録領域の面積が２３．２ｃｍ2（５０％）のもの、消去手段を図９の媒体進行方向接触巾２ｍｍのセラミックヒーターを用い、荷重２００ｇ、長手方向で２５％解除、５０％消去、２５％（長さ）と消去バーを制御し、記録画像を消去したところ、図９（ヘ）のような変形となり、カール度（ｘ）は２．５ｍｍであった。なお、消去はスピード３０ｍｍ／ｓｅｃ、温度１５０〜１６０℃、処理長さ４．３ｃｍ（５０％）である。
【００４４】
実施例７
大日本インキ化学工業社製、ＤＳ−１７３１の磁気カードの反対面に、支持体を紙とし裏面に粘着層を有する図６R>６型の可逆性感熱記録媒体（８．６ｃｍ×５．４ｃｍ、厚さ０．３ｍｍ）をはりつけたもの（厚み５００μｍ）を実施例６と同じように消去したところ、図９（ト）のような変形になり、カール度（ｘ）は１．５ｍｍであった。
【００４５】
比較例１
図４（ｂ）型の可逆性感熱記録媒体（８．６ｃｍ×５．４ｃｍ、厚さ０．３ｍｍ）で、上部５０％の記録領域と下部５０％の非記録領域のものを実施例１の消去方式で記録領域の片面消去処理すると、図９（チ）のような変形になり、カール度（ｘ）は５ｍｍであった。
【００４６】
比較例２
全面が可逆性感熱記録層の記録媒体（８．６ｃｍ×５．４ｃｍ、厚さ０．３ｍｍ）に対し全面消去した後、実施例４と同様金属プレートで消去したところ、図９（リ）のような変形になり、カール度（ｘ）は５．０ｍｍであった。
【図面の簡単な説明】
【００４７】
【図１】（ａ）（ｂ）（ｃ）は本発明の可逆性感熱記録媒体の三例の層構成を示した図である。
【図２】記録層の発色・消色が行なわれることの説明図である。
【図３】消色手段が従来のポットスチンプを用いることの説明図である。
【図４】（ａ）（ｂ）は従来の可逆性感熱記録媒体の二例の消色域、非消去域の位置関係を表わした図である。
【図５】（ａ）（ｂ）は本発明の可逆性感熱記録媒体の二例の消去域、非消去域の位置関係を表わした図である。
【図６】本発明の他の可逆性感熱記録媒体の消去域、非消去域の位置関係を表わした図である。
【図７】（ａ）（ｂ）（ｃ）は画像消去する際、消去域を加熱するとともに媒体裏面も加熱することを表わした三例の図である。
【図８】本発明の好ましい可逆性感熱記録装置の消去部の概略を示した図である。
【図９】（イ）（ロ）（ハ）（ニ）（ホ）（ヘ）（ト）は実施例１〜７の可逆性感熱記録媒体のカールの様子を模式的に表わした図、（チ）（リ）は比較例１、２の可逆性感熱記録媒体のカールの様子を表わした図である。
【符号の説明】
【００４８】
６                    消去手段
１１                    可逆性感熱記録媒体（発色消色型記録媒体）
１２                    支持体
１２’                  他の支持体
１３                    可逆性感熱記録層
１４                    透明保護層
１５                    磁気層
１６                    粘着層
５１                    消去手段（消去バー）
５１’                  裏面加熱バー
５２                    押圧部材
５３                    弾性部材
５４                    加熱部材
６１                    セラミック基板
６２                    発熱体
６３                    保護層
７１                    プラテンローラー
１００                    消去域
１０１、１０２、１０３    非消去域
【図１】
2005343175.tif 000002
【図２】
2005343175.tif 000003
【図３】
2005343175.tif 000004
【図４】
2005343175.tif 000005
【図５】
2005343175.tif 000006
【図６】
2005343175.tif 000007
【図７】
2005343175.tif 000008
【図８】
2005343175.tif 000009
【図９】
2005343175.tif 000010